(57)【要約】【課題】  文書中からユーザが必要とする語句を選択して、辞書引きのためのリンクタグを語句に付与する装置を提供することにある。【解決手段】  辞書引きリンクタグ付与システムは、ユーザ設定情報をユーザ毎に登録し管理するユーザ設定情報管理手段と、語句難易度情報を専門分野毎に格納し管理する語句難易度情報管理手段と、辞書参照頻度情報を専門分野毎に格納し管理する辞書参照頻度情報管理手段と、語句及び語句の説明記述を格納し管理する電子辞書装置と、辞書引きリンクタグを付与するための辞書リンク付文書生成手段と、辞書引き結果を表す文書を生成するための辞書引き結果文書生成手段と、ユーザが画面表示入力手段を介して入力した情報及び要求に基づいて上記ユーザ設定情報管理手段、上記辞書リンク付文書生成手段、及び上記辞書引き結果文書生成手段を制御する制御手段と、を有する。【選択図】  図１
2005084754.tif 000002
【特許請求の範囲】
【請求項１】
辞書引きリンクタグ付与の対象とする語句の絞り込み条件情報であるユーザ設定情報をユーザ毎に登録し管理するユーザ設定情報管理手段と、語句及び語句の難易度を含む語句難易度情報を専門分野毎に格納し管理する語句難易度情報管理手段と、語句及び語句の参照頻度を含む辞書参照頻度情報を専門分野毎に格納し管理する辞書参照頻度情報管理手段と、語句及び語句の説明記述を格納し管理する電子辞書装置と、文書中の語句に対して辞書引きの要求を表す辞書引きリンクタグを付与するための辞書リンク付文書生成手段と、上記電子辞書装置から提供された語句の説明記述を使用して辞書引き結果を表す文書を生成するための辞書引き結果文書生成手段と、ユーザが画面表示入力手段を介して入力した情報及び要求に基づいて上記ユーザ設定情報管理手段、上記辞書リンク付文書生成手段、及び上記辞書引き結果文書生成手段を制御する制御手段と、を有し、上記制御手段は、画面表示入力手段から入力されたユーザ設定情報を上記ユーザ設定情報管理手段に登録させ、上記画面表示入力手段から入力されたユーザの要求に基づいて、上記辞書リンク付文書生成手段に対して辞書引きリンクタグが付与された文書を作成させ、上記辞書引き結果文書生成手段に対して辞書引き結果を表す文書を作成させることを特徴とする辞書引きリンクタグ付与システム。
【請求項２】
請求項１記載の辞書引きリンクタグ付与システムにおいて、上記ユーザ設定情報管理手段が登録するユーザ設定情報は、対象とする語句が属する一つ又は複数の専門分野、対象とする語句の難易度、及び、対象とする語句の参照頻度、を含むことを特徴とする辞書引きリンクタグ付与システム。
【請求項３】
請求項１記載の辞書引きリンクタグ付与システムにおいて、上記ユーザ設定情報管理手段は、上記辞書リンク付文書生成手段からの要求に応じてユーザ設定情報を提供することを特徴とする辞書引きリンクタグ付与システム。
【請求項４】
請求項１記載の辞書引きリンクタグ付与システムにおいて、上記辞書リンク付文書生成手段は、上記制御手段から与えられた一般文書を語句に分割し、上記ユーザ設定情報管理手段から与えられたユーザ設定情報と、上記語句難易度情報管理手段から与えられた語句の難易度情報と、上記辞書参照頻度情報管理手段から与えられた語句の参照頻度情報と、を入力し、必要な語句に辞書引きリンクタグを付与し、辞書リンク付文書を作成することを特徴とする辞書引きリンクタグ付与システム。
【請求項５】
請求項４記載の辞書引きリンクタグ付与システムにおいて、上記辞書リンク付文書生成手段は、属する専門分野がユーザ設定情報と一致しており、かつ、難易度がユーザ設定情報以上であり、かつ、参照頻度がユーザ設定情報以上である語句を、辞書引きリンク付与の対象語句とすることを特徴とする辞書引きリンクタグ付与システム。
【請求項６】
請求項４記載の辞書引きリンクタグ付与システムにおいて、上記辞書リンク付文書生成手段は、参照頻度が高くとも難易度が閾値に満たない語句、または、難易度が高くとも参照頻度が閾値に満たない語句は辞書引きリンク付与の対象語句から除外することを特徴とする辞書引きリンクタグ付与システム。
【請求項７】
請求項１記載の辞書引きリンクタグ付与システムにおいて、上記辞書引き結果文書生成手段は、上記制御手段から与えられた語句と上記電子辞書装置から与えられたその語句に対する説明記述と、を入力し、辞書引き結果を表す文書を生成することを特徴とする辞書引きリンクタグ付与システム。
【発明の詳細な説明】
【技術分野】
【０００１】
本発明は、文書に含まれる単語に対して辞書引きのためのリンクタグを自動的に挿入する辞書引きリンクタグ付与システムに関する。
【背景技術】
【０００２】
特開平９−３０５５８１号公報には、文書中の辞書引き単位の全て又は一部の文字列にリンク情報を付与する文書表示システムが記載されている。リンク情報は、電子辞書の格納情報を与える。この例では、辞書参照頻度情報管理手段によってリンク情報の参照頻度を管理し、該参照頻度によってリンク情報を付与した文字列の表示方法を変更する。更に、参照頻度の少ない辞書引き単位に対してはリンク情報を付与しない等の判断を行う。
【０００３】
【特許文献１】特開平９−３０５５８１号公報
【発明の開示】
【発明が解決しようとする課題】
【０００４】
特開平９−３０５５８１号公報に記載された例では、辞書引きリンクタグが付与された語句の実際に辞書引き参照された頻度を管理する。それによって、ユーザが実際に必要としている対象語句群を絞り込むことができるが、対象語句群の絞り込みに時間が掛かる。また、参照頻度が多い語句の中には、その文書の属する専門分野において、通常のユーザが意味内容を理解しており、辞書引きリンクタグの付与を必要としない場合がある。しかしながら、上記の例では、辞書引きリンクタグの付与の必要性をユーザ毎に判断することができず、ユーザが望まない語句に対しても辞書引きリンクタグが付与される。
【０００５】
本発明の目的は、辞書引きリンクタグ付与の対象語句を、語句の属する専門分野、語句の難易度、及び語句の参照頻度によって絞り込むことができるリンクタグ付与システムを提供することにある。
【０００６】
本発明の目的は、ユーザが参照する特定の専門分野に属する難解な語句、又は、専門用語に対してリンクタグを付与することができる辞書引きリンクタグ付与システムを提供することにある。
【課題を解決するための手段】
【０００７】
本発明によると、辞書引きリンクタグ付与システムは、辞書引きリンクタグ付与の対象とする語句の絞り込み条件情報であるユーザ設定情報をユーザ毎に登録し管理するユーザ設定情報管理手段と、語句及び語句の難易度を含む語句難易度情報を専門分野毎に格納し管理する語句難易度情報管理手段と、語句及び語句の参照頻度を含む辞書参照頻度情報を専門分野毎に格納し管理する辞書参照頻度情報管理手段と、語句及び語句の説明記述を格納し管理する電子辞書装置と、文書中の語句に対して辞書引きの要求を表す辞書引きリンクタグを付与するための辞書リンク付文書生成手段と、上記電子辞書装置から提供された語句の説明記述を使用して辞書引き結果を表す文書を生成するための辞書引き結果文書生成手段と、ユーザが画面表示入力手段を介して入力した情報及び要求に基づいて上記ユーザ設定情報管理手段、上記辞書リンク付文書生成手段、及び上記辞書引き結果文書生成手段を制御する制御手段と、を有し、上記制御手段は、画面表示入力手段から入力されたユーザ設定情報を上記ユーザ設定情報管理手段に登録させ、上記画面表示入力手段から入力されたユーザの要求に基づいて、上記辞書リンク付文書生成手段に対して辞書引きリンクタグが付与された文書を作成させ、上記辞書引き結果文書生成手段に対して辞書引き結果を表す文書を作成させる。
【０００８】
本発明によると、辞書引きリンクタグ付与システムにおいて、上記ユーザ設定情報管理手段が登録するユーザ設定情報は、対象とする語句が属する一つ又は複数の専門分野、対象とする語句の難易度、及び、対象とする語句の参照頻度、を含む。
【０００９】
本発明によると、辞書引きリンクタグ付与システムにおいて、上記ユーザ設定情報管理手段は、上記辞書リンク付文書生成手段からの要求に応じてユーザ設定情報を提供する。
【００１０】
本発明によると、辞書引きリンクタグ付与システムにおいて、上記辞書リンク付文書生成手段は、上記制御手段から与えられた一般文書を語句に分割し、上記ユーザ設定情報管理手段から与えられたユーザ設定情報と、上記語句難易度情報管理手段から与えられた語句の難易度情報と、上記辞書参照頻度情報管理手段から与えられた語句の参照頻度情報と、を入力し、必要な語句に辞書引きリンクタグを付与し、辞書リンク付文書を作成する。
【００１１】
本発明によると、辞書引きリンクタグ付与システムにおいて、上記辞書リンク付文書生成手段は、属する専門分野がユーザ設定情報と一致しており、かつ、難易度がユーザ設定情報以上であり、かつ、参照頻度がユーザ設定情報以上である語句を、辞書引きリンク付与の対象語句とする。
【００１２】
本発明によると、辞書引きリンクタグ付与システムにおいて、上記辞書リンク付文書生成手段は、参照頻度が高くとも難易度が閾値に満たない語句、または、難易度が高くとも参照頻度が閾値に満たない語句は辞書引きリンク付与の対象語句から除外する。
【００１３】
本発明によると、上記辞書引き結果文書生成手段は、上記制御手段から与えられた語句と上記電子辞書装置から与えられたその語句に対する説明記述と、を入力し、辞書引き結果を表す文書を生成する。
【発明の効果】
【００１４】
本発明によれば、ユーザが文書を参照する際に意味内容の理解を必要としている特定の専門分野に属する語句のみに辞書引きリンクタグを付与することができる効果がある。
【００１５】
本発明によれば、参照頻度は高いがユーザの知識レベルでは意味内容が十分に理解可能な語句に対する辞書引きリンクタグの付与を抑止し、文書への冗長なリンクタグの付与を防ぐことができる効果がある。
【００１６】
本発明によれば、難易度は高いが参照頻度が一定以下である語句に対する辞書引きリンクタグの付与を抑止し、文書への冗長なリンクタグの付与を防ぐことができる効果がある。
【発明を実施するための最良の形態】
【００１７】
図１を参照して本例の辞書引きリンクタグ付与システムを説明する。本例の辞書引きリンクタグ付与システムは、辞書引きリンクタグ付与装置１０、ユーザ設定情報管理手段２１、語句難易度情報管理手段２２、辞書参照頻度情報管理手段２３、及び電子辞書装置２４、を有する。辞書引きリンクタグ付与装置１０は、制御手段１１、辞書リンク付文書生成手段１２、及び辞書引き結果文書生成手段１３を有し、通信ネットワーク２を介してユーザの画面表示入力手段１に接続されている。ここでは、ユーザ設定情報管理手段２１、語句難易度情報管理手段２２、辞書参照頻度情報管理手段２３、及び電子辞書装置２４は辞書引きリンクタグ付与装置１０とは別個の手段として図示されているが、これらは、辞書引きリンクタグ付与装置１０に含まれるように構成してもよい。
【００１８】
画面表示入力手段１は文書の画面表示を行い、ユーザは、画面表示された文書に対してコマンドを入力することができる。文書中のリンクタグが付与された語句は、それがリンクタグが付与された語句であることが判別できるように表示される。
【００１９】
画面表示入力手段１は、ＨＴＭＬ文書を表示し、表示したＨＴＭＬ文書に対してユーザの入力を受け取ることができるＷｅｂブラウザであってよい。本明細書では、以下に、画面表示入力手段１を、Ｗｅｂブラウザとして説明する。
【００２０】
制御手段１１は、画面表示入力手段１から入力されたユーザ設定情報をユーザ設定情報管理手段２１に出力し、ユーザ設定情報管理手段２１に対してそれを登録させる。制御手段１１は、画面表示入力手段１から入力されたユーザが選択した一般文書を辞書リンク付文書生成手段１２に出力し、辞書リンク付文書生成手段１２に対して、辞書引きリンクタグが付与された文書を作成させる。さらに、制御手段１１は、画面表示入力手段１から入力されたユーザが指定した辞書引きリンクタグが付与された語句を辞書引き結果文書生成手段１３に出力し、辞書引き結果文書生成手段１３に対して辞書引き結果を表す文書を作成させる。さらにまた、制御手段１１は、画面表示入力手段１から入力されたユーザの指示に従って、画面表示入力手段１に対して次頁の文書の画面を表示させる。
【００２１】
辞書リンク付文書生成手段１２は、制御手段１１から与えられた一般文書を語句に分割し、ユーザ設定情報管理手段２１から与えられたユーザ設定情報と、語句難易度情報管理手段２２から与えられた語句の難易度情報と、辞書参照頻度情報管理手段２３から与えられた語句の参照頻度情報と、を入力し、必要な語句に辞書引きリンクタグを付与する。辞書リンク付文書生成手段１２によって生成された辞書引きリンクタグ付文書は、画面表示入力手段１によって表示される。
【００２２】
辞書引き結果文書生成手段１３は、制御手段１１から与えられた語句と電子辞書装置２４から与えられたその語句に対する説明記述と、を入力し、辞書引き結果を表す文書を生成する。辞書引き結果文書生成手段１３によって生成された辞書引き結果文書は、画面表示入力手段１によって表示される。
【００２３】
ユーザ設定情報管理手段２１は、制御手段１１の指示により、画面表示入力手段１から入力されたユーザ設定情報を登録する。また、辞書リンク付文書生成手段１２からの要求に応じてユーザ設定情報を提供する。ここで、ユーザ設定情報は、辞書引きリンクタグ付与の対象とする語句の絞り込み条件情報として少なくとも、対象とする語句が属する専門分野と、対象とする語句の難易度と、対象とする語句の参照頻度と、を含む。
【００２４】
語句難易度情報管理手段２２は、語句難易度情報テーブルを有し、辞書リンク付文書生成手段１２からの要求に応じて、語句の難易度情報を提供する。語句難易度情報テーブルは、少なくとも語句と語句が属する専門分野と語句の難易度情報とを含む。語句難易度情報テーブルの例は後に図９を参照して説明する。
【００２５】
辞書参照頻度情報管理手段２３は、辞書参照頻度情報テーブルを有し、辞書リンク付文書生成手段１２からの要求に応じて、語句の参照頻度情報を提供する。また、電子辞書装置２４から与えられる辞書アクセス情報を受け取って参照頻度情報を更新する。辞書参照頻度情報テーブルの例は後に図１０を参照して説明する。
【００２６】
ここで、辞書参照頻度情報管理手段２３は特開平９−３０５５８１等によって既に公知の技術であるため、本例では特に詳細な説明は行わない。
【００２７】
電子辞書装置２４は、辞書リンク付文書生成手段１２からの要求に応じて語句が辞書に含まれるか否かを表す情報を提供し、辞書引き結果文書生成手段１３からの要求に応じて語句に対する説明記述を提供する。また、辞書参照頻度情報管理手段２３に対して辞書アクセス情報を提供する。
【００２８】
図２を参照して、制御手段１１による処理を説明する。ステップ１００にて、制御手段１１は画面表示入力手段１から与えられたユーザの入力を取得する。ステップ１０１にて、ユーザの入力が、ユーザ設定情報管理コマンド、辞書リンク付文書生成コマンド、及び辞書引き結果文書生成コマンドのうちのいずれかのコマンドであるか否かを判定する。
【００２９】
ユーザの入力がコマンドではないと判定すると、言い換えると、ユーザの入力が一般文書の参照要求である場合には、ステップ１０２に進む。ステップ１０２にて、制御手段１１は、文書を取り出す。ステップ１０３にて、辞書リンク付文書生成コマンドを起動する。制御手段１１は、辞書リンク付文書生成生成手段１２から辞書リンク付文書を得る。ステップ１０３の詳細は後に図４を参照して説明する。
【００３０】
ユーザの入力がコマンドであると判定された場合には、ステップ１０４に進み、更に、ユーザの入力がユーザ設定情報管理コマンドであるか否かを判定する。
【００３１】
ユーザの入力がユーザ設定情報管理コマンドではないと判定すると、言い換えると、ユーザの入力が辞書引き結果文書生成コマンドの要求である場合には、ステップ１０５に進む。ステップ１０５にて、辞書引き結果文書生成コマンドを起動する。制御手段１１は、辞書引き結果文書生成手段１３から辞書引き結果を表す文書を得る。ステップ１０５の詳細は後に図６を参照して説明する。
【００３２】
ユーザの入力がユーザ設定情報管理コマンドであると判定すると、ステップ１０６にて、ユーザ設定情報管理コマンドを起動する。制御手段１１は、ユーザ設定情報管理手段２１に、ユーザが要求した設定内容を含む入力情報を提供し、ユーザ設定情報を表す文書を得る。ステップ１０６の詳細は後に図３を参照して説明する。
【００３３】
ステップ１０７にて、辞書リンク付文書（ステップ１０３）、辞書引き結果を表す文書（ステップ１０５）、ユーザ設定情報を表す文書（ステップ１０６）を画面表示入力手段１へ送信し、処理を終了する。
【００３４】
図３を参照して、ユーザ設定情報管理手段２１における処理を説明する。これは、図２のステップ１０６に相当する。先ず、ステップ２００にて、与えられた要求が辞書リンク付文書生成手段１２からのユーザ設定情報の取得要求かそれとも制御手段１１からのユーザ設定情報の登録要求かを判定する。与えられた要求が辞書リンク付文書生成手段１２からのユーザ設定情報の取得要求である場合には、ステップ２０１に進み、与えられた要求が制御手段１１からのユーザ設定情報の登録要求である場合には、ステップ２０４に進む。
【００３５】
ステップ２０１にて、ユーザ設定情報管理手段２１は、該要求の対象であるユーザ設定情報が記録装置に登録されているか否かを判定する。ユーザ設定情報を登録されていると判断した場合には、ステップ２０２にて、ユーザ設定情報を呼び出し、それを辞書リンク付文書生成手段１２に送信し、処理を終了する。
【００３６】
ユーザ設定情報が登録されていないと判断した場合には、ステップ２０３にて、最も一般的と考えられる標準のユーザ設定情報を呼び出し、それを辞書リンク付文書生成手段１２に送信し、処理を終了する。標準のユーザ設定情報はユーザ設定情報管理手段２１が登録しているユーザ設定情報から動的に導き出しても、予め定まった値を用意しておいてもよい。
【００３７】
ステップ２０４にて、ユーザ設定情報管理手段２１は、制御手段１１から与えられたユーザ設定情報の内容を記憶装置に登録する。登録するユーザ設定情報には、専門分野、難易度情報及び参照頻度が含まれる。ステップ２０５にて、登録したユーザ設定情報の内容の画面表示を表す設定結果文書を生成し、それを画面表示入力手段１に出力し、処理を終了する。設定結果文書の例は図１１（Ｂ）に示す。
【００３８】
図４を参照して辞書リンク付文書生成手段１２における処理を説明する。これは図２のステップ１０３に相当する。ステップ３００にて、ユーザ設定情報管理コマンドを起動する。辞書リンク付文書生成手段１２は、ユーザ設定情報管理手段２１より、ユーザ設定情報の中の専門分野Ｃ０、ユーザ設定情報中の難易度情報Ｄ０、及びユーザ設定情報中の参照頻度Ｆ０を取得する。
【００３９】
本例では、専門分野Ｃ０は、辞書引きリンクタグを付与する対象語句が属する専門分野を表し、難易度情報Ｄ０は、難易度が少なくともＤ０以上の語句を辞書引きリンクタグ付与の対象とすることを意味し、参照頻度情報Ｆ０は、参照頻度が少なくともＦ０以上の語句を辞書引きリンクタグ付与の対象とすることを意味する。
【００４０】
次に、ステップ３０１にて、辞書リンク付文書生成手段１２は、与えられた一般文書を語句に分割する。
【００４１】
次に、ステップ３０２にて、辞書リンク付文書生成手段１２は、未処理の語句が存在するか否かを判断する。未処理の語句が存在すると判断した場合には、ステップ３０３にて、辞書参照頻度情報管理手段２３から語句の辞書参照頻度Ｆを取得する。ステップ３０４にて、語句難易度情報コマンドを起動して語句の難易度Ｄを取得する。ステップ３０４の詳細は後に、図５を参照して説明する。
【００４２】
次に、ステップ３０５にて、辞書リンク付文書生成手段１２は、参照頻度Ｆが閾値より高いが難易度Ｄが閾値に満たない、又は、難易度Ｄが閾値より高いが参照頻度Ｆが閾値に満たない、場合（以下「閾値不達」と記述する。）であるか否かを判断する。閾値不達と判断した場合には、ステップ３０８に進み、その語句を辞書引きリンクタグ付与の対象から外し、次の語句に移動する。
【００４３】
本例では、難易度の閾値を、ステップ３００で取得したユーザの難易度Ｄ０に０より大きく１以下である値Ｒｄを乗じた値とし、参照頻度の閾値を、ステップ３００で取得したユーザの参照頻度Ｆ０に０より大きく１以下である値Ｒｆを乗じた値としているが、もちろんこれらの閾値は他に自由に設定してよい。
【００４４】
次に、ステップ３０６にて、辞書リンク付文書生成手段１２は、難易度Ｄがユーザの難易度Ｄ０以上である、又は／かつ、参照頻度Ｆがユーザの参照頻度Ｆ０以上である、場合（以下「付与条件を満たす」と記述する。）であるか否かを判断する。付与条件を満たすと判断した場合には、ステップ３０７に進み、その語句に辞書引きリンクタグを付与し、ステップ３０８に進む。ステップ３０６にて、付与条件を満たすと判断しなかった場合には、ステップ３０８に進む。ステップ３０８にて、対象を次の語句に移動し、ステップ３０２に戻る。
【００４５】
ステップ３０２で、未処理の語句が存在しないと判断した場合には、言い換えると、一般文書中の全ての語句に対して処理を行っていた場合には、辞書リンク付文書生成手段１２の処理は終了する。
【００４６】
図５を参照して語句難易度情報管理手段２２における処理を説明する。これは、図４のステップ３０４に相当する。先ず、ステップ４００にて、語句難易度情報管理手段２２は、辞書リンク付文書生成手段１２から与えられた語句が語句難易度情報テーブルに存在するか否かを判断する。語句難易度情報テーブルの例は後に図９を参照して説明する。語句が語句難易度情報テーブルに存在すると判断した場合には、ステップ４０１に進み、語句が語句難易度情報テーブルに存在しないと判断した場合には、ステップ４０２に進む。
【００４７】
ステップ４０１にて、語句難易度情報管理手段２２は、その語句の難易度を語句難易度情報テーブルから読み出し、それを辞書リンク付文書生成手段１２に出力し、処理を終了する。ステップ４０２にて、語句難易度情報管理手段２２は、難易度の値０を辞書リンク付文書生成手段１２に出力し、処理を終了する。
【００４８】
図６を参照して辞書引き結果文書生成手段１３における処理を説明する。これは、図２のステップ１０５に相当する。先ず、ステップ５００にて、電子辞書装置２４に対して語句有無チェックコマンドを起動し、制御手段１１から与えられた語句を電子辞書装置２４より検索する。語句有無チェックコマンドの詳細は、後に、図８を参照して説明する。ステップ５０１にて、語句が電子辞書装置２４に存在する場合には、ステップ５０２に進み、語句が電子辞書装置２４に存在しない場合には、ステップ５０４に進む。ステップ５０２にて、電子辞書引きコマンドを起動し、語句の記述部分を取得する。ステップ５０２の詳細は、後に、図７を参照して説明する。ステップ５０３にて、辞書引き結果を表す文書を生成し、それを画面表示入力手段１に出力し、処理を終了する。
【００４９】
ステップ５０４にて、エラー画面を表す文書を生成し、それを画面表示入力手段１に出力し、処理を終了する。
【００５０】
図７を参照して電子辞書装置２４における語句の記述部分の取得の処理を説明する。ステップ７００にて、電子辞書装置２４は、辞書引き結果文書生成手段１３から与えられた専門分野Ｃ０に基づいて電子辞書を取り出し、その電子辞書から語句の記述部分を抽出する。ステップ７０１にて、電子辞書装置２４は、辞書参照頻度情報管理手段２３に対して語句の参照頻度カウンタを１増やすよう要求する。ステップ７０２にて、抽出した語句の記述部分を辞書引き結果文書生成手段１３に出力し、処理を終了する。
【００５１】
図８を参照して電子辞書装置２４における語句の有無の検索の処理を説明する。ステップ８００にて、電子辞書装置２４は、辞書引き結果文書生成手段１３から与えられた専門分野Ｃ０に基づいて電子辞書を取り出し、その電子辞書内に、辞書引き結果文書生成手段１３から与えられた語句が存在するか否かを判定する。
【００５２】
語句が存在すると判定した場合には、ステップ８０１にて、検索成功を辞書引き結果文書生成手段１３に出力し、処理を終了する。語句が存在すると判定しなかった場合には、ステップ８０２にて、検索失敗を辞書引き結果文書生成手段１３に出力し、処理を終了する。
【００５３】
図９を参照して語句難易度情報管理手段２２が参照する語句難易度情報テーブルの内容を説明する。図９に示す語句はすべて専門分野「医学」に属しており、語句「ｄｉａｇｎｏｓｉｓ」の難易度情報には「３」が設定されており、語句「ｉｎｆｌｕｅｎｚａ」の難易度情報には「２」が設定されており、語句「ｐｎｅｕｍｏｎｉａ」の難易度情報には「４」が設定されており、語句「ｃｏｌｄ」の難易度情報に「１」が設定されており、語句「ｂｅｎｉｇｎ  ｔｕｍｏｒ」、及び、語句「ｍａｌｉｇｎａｎｔ  ｔｕｍｏｒ」の難易度情報には「５」が設定されている。
【００５４】
ここで、本例の語句難易度情報テーブルにおける語句の難易度情報は、最も易しいことを表す難易度を「１」とし、最も難しいことを表す難易度「５」としているが、もちろんこれらの難易度の表し方は自由に設定してよい。
【００５５】
図１０を参照して辞書参照頻度情報管理手段２３が参照する辞書参照頻度情報テーブルの内容を説明する。図１０に示す語句はすべて専門分野「医学」に属しており、語句「ｄｉａｇｎｏｓｉｓ」の参照頻度には「６」が設定されており、語句「ｉｎｆｌｕｅｎｚａ」の参照頻度には「８」が設定されており、語句「ｐｎｅｕｍｏｎｉａ」の参照頻度には「５」が設定されており、語句「ｃｏｌｄ」の参照頻度には「１０」が設定されており、語句「ｂｅｎｉｇｎ  ｔｕｍｏｒ」、及び、語句「ｍａｌｉｇｎａｎｔ  ｔｕｍｏｒ」の参照頻度には「２」が設定されている。
【００５６】
ここで、本例の辞書参照頻度情報テーブルにおける語句の参照頻度は、最も高いことを表す参照頻度を「１０」とし、最も低いことを表す参照頻度を「１」としているが、もちろんこれらの参照頻度の表し方は自由に設定してよい。
【００５７】
図１１及び図１２を参照して、画面表示入力手段１に表示されたＷｅｂブラウザの画面の例を説明する。図１１（Ａ）は、ユーザに対してユーザ設定情報の登録を要求する画面の例である。ユーザは、図２のステップ１００にて、この画面からユーザ設定情報管理コマンドを入力する。画面内の「専門分野＝「医学」、難易度＝４以上、頻度＝３以上を対象とする」の部分は、制御手段１１へのリンクタグが付されている。このリンクタグには、図２のステップ１０６のユーザ設定情報コマンドの起動を促すパラメータ、及び、図３のステップ２０４にて、ユーザ設定情報管理手段２１に登録されるユーザ設定情報の内容、即ち、専門分野、難易度情報及び参照頻度が含まれる。ユーザがこのリンクタグ部分を参照することによって、画面表示入力手段１へ入力を与えることができる。
【００５８】
図１１（Ｂ）は、図３のステップ２０５にて、ユーザ設定情報管理手段２１が生成した設定結果文書を示す画面の例である。
【００５９】
図１２（Ａ）は、図２のステップ１０３及び図４の辞書リンク付文書生成手段１２における処理によって生成された辞書引きリンクタグが付与された文書を示す画面の例である。この例では、図９の例と図１１の例に対応しており、ユーザが、専門分野を「医学」に、難易度情報を「４」に、設定した場合を示す。図９に示したように、語句の専門分野が「医学」であり、かつ、難易度情報が「４」以上の語句である「ｐｎｅｕｍｏｎｉａ」と、「ｂｅｎｉｇｎ  ｔｕｍｏｒ」と、「ｍａｌｉｇｎａｎｔ  ｔｕｍｏｒ」には下線が表示され辞書引きリンクタグが付与されていることを表している。一方で、語句の専門分野が「医学」ではない、または、難易度情報が「４」に満たない語句である「ｃｏｌｄ」と、「ｉｎｆｌｕｅｎｚａ」には下線が表示されず辞書引きリンクタグが付与されていないことを表している。
【００６０】
図１２（Ｂ）は、図２のステップ１０５及び図６の辞書引き結果文書生成手段１３における処理によって生成された辞書引き結果文書を示す画面の例である。ここでは、図１２（Ａ）の辞書引き結果の表示画面にて、ユーザが語句「ｐｎｅｕｍｏｎｉａ」に対して辞書引き結果の表示要求を入力した場合の表示例である。
【００６１】
以上、本発明の例を説明したが、本発明は上述の例に限定されるものではなく、特許請求の範囲に記載された発明の範囲にて、様々な変形が可能であることは実装者に理解されよう。
【図面の簡単な説明】
【００６２】
【図１】本発明による辞書引きリンクタグ付与システムの一実施の形態の構成を示すブロック図である。
【図２】本発明による制御手段における処理の流れの例を示す流れ図である。
【図３】本発明によるユーザ設定情報管理手段における処理の流れの例を示す流れ図である。
【図４】本発明による辞書リンク付文書生成手段における処理の流れの例を示す流れ図である。
【図５】本発明による語句難易度情報管理手段における処理の流れの例を示す流れ図である。
【図６】本発明による辞書引き結果文書生成手段における処理の流れの例を示す流れ図である。
【図７】本発明による電子辞書装置における語句の記述部分を抽出する処理の流れの例を示す流れ図である。
【図８】本発明による電子辞書装置における語句の有無を検索する処理の流れの例を示す流れ図である。
【図９】本発明による語句難易度情報管理手段にて使用する語句難易度情報テーブルの内容例を示す図である。
【図１０】本発明による辞書参照頻度情報管理手段にて使用する辞書参照頻度情報テーブルの内容例を示す図である。
【図１１】本発明による画面表示入力手段の画面表示例を示す図である。
【図１２】本発明による画面表示入力手段の画面表示例を示す図である。
【符号の説明】
【００６３】
１…画面表示入力手段、２…通信ネットワーク、１０…辞書引きリンクタグ付与装置、１１…制御手段、１２…辞書リンク付文書生成手段、１３…辞書引き結果文書生成手段、２１…ユーザ設定情報管理手段、２２…語句難易度情報管理手段、２３…辞書参照頻度情報管理手段、２４…電子辞書装置
【図１】
2005084754.tif 000003
【図２】
2005084754.tif 000004
【図３】
2005084754.tif 000005
【図４】
2005084754.tif 000006
【図５】
2005084754.tif 000007
【図６】
2005084754.tif 000008
【図７】
2005084754.tif 000009
【図８】
2005084754.tif 000010
【図９】
2005084754.tif 000011
【図１０】
2005084754.tif 000012
【図１１】
2005084754.tif 000013
【図１２】
2005084754.tif 000014